(57)【要約】      （修正有）【課題】フィルムシートを用いて容易に組み立てられ、かつ十分な強度を持つカード差し込み式貯金箱を提供する。【解決手段】薄地のフィルムシートを打ち抜き加工し、フック構造を備えた差し込みあるいはそれと対になる切り込みを有する複数の部品を作製し、接着道具および切り離しの道具なしで貯金箱を組み立てる。貯金箱の前部に施されたスリットＳ２に銀行のキャッシュカードを模した部品Ｃを差し込むことで、内部の硬貨貯留のロックが外れ物品下部より硬貨が排出される構造とする。【選択図】図１
0003207017.tif 000002
【実用新案登録請求の範囲】
【請求項１】
薄地のフィルムシート材料において、接着道具を用いることなく互いに接合可能な複数の部品が打ち抜かれていることを特徴とするカード差し込み式貯金箱。
【請求項２】
当該物品前面に施されたスリットに銀行のキャッシュカードを模した部品を差し込むことで、内部の硬貨貯留のロックが外れ物品下部より硬貨が排出されることを特徴とするカード差し込み式貯金箱。
【請求項３】
硬貨貯留部分は開閉可能な底部の中央に２段階の溝の幅を持つスリットを備えそこにフック構造を持ったタブを係止させることで底部は固定され、前記の当該物品前面に施されたスリットにカードを模した部品を差し込むことで固定が解除されることを特徴とするカード差し込み式貯金箱。
【請求項４】
前記フィルムシート材料には、オフセット印刷により絵、文字及び写真が印刷されていることを特徴とする請求項１に記載のカード差し込み式貯金箱。
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来の紙で作製していた組立貯金箱は、組み立てるときにパーツ固定用の糊やテープ、シートからパーツを分離する為のはさみやカッター等の道具が必要だった。また、紙製の組立貯金箱は水等の液体でぬれた場合に、破れ、たわみなどが生じ、その品質が大きく劣化する。
【考案が解決しようとする課題】
【０００３】  ノベルティとして本物品を手にした場合に、その場で組み立てて使用する事ができる様に固定に用いる部分の構造を組みやすく、外れにくいものとした。また、耐水性の高いフィルムシートを使用する事で、水に強い商品を作製する事ができる。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
【考案実施の形態】
【０００５】  図１は本考案のカード差し込み式貯金箱（１）の視図である。図１でカード差し込み式貯金箱にはフック構造を持った差し込み（ａ１）（ａ２）を持つ硬貨貯留部１（Ｈ１）と、これと対になる切り込み（ｂ１）（ｂ２）を備えた硬貨貯留部２（Ｈ２）、フック構造を備えた差し込み（ａ６）（ａ７）（ａ８）（ａ９）とこれと対になる切込み（ｂ６）（ｂ７）（ｂ８）（ｂ９）を持つ貯金箱外箱（２）とフック構造を備えた差し込み（ａ３）（ａ４）（ａ５）とこれと対になる切込み（ｂ３）（ｂ４）（ｂ５）を持つ底部２（Ｂ２）、銀行のキャッシュカードを模したカード（Ｃ）が大部分をトムソンで打ち抜かれ部分的にシートに固定された状態で備わっている。このことで鋏やカッターなどの切り離し用の道具を必要としないでも、模型を組み立てられる構造となっている。
【０００６】  図２は本考案のカード差し込み式貯金箱（１）の内部に備わる硬貨貯留部１（Ｈ１）と硬貨貯留部２（Ｈ２）を組み合わせたものの斜図である。トムソン型で折り筋加工、打ち抜き加工された硬貨貯留部２（Ｈ２）の底部（Ｂ１）に施された２段階の長さの溝を持つスリット（Ｓ１）に、硬貨貯留部１（Ｈ１）に施されたタブ（Ｔ１）を差し込む事で、硬貨貯留部１（Ｈ１）と硬貨貯留部２（Ｈ２）を組み合わせたものが、硬貨貯留部となる。
【０００７】  図３は本考案のカード差し込み式貯金箱（１）内部に備わる硬貨貯留部１（Ｈ１）と硬貨貯留部２（Ｈ２）を組み合わせたものと貯金箱外箱（２）を嵌合させ視図である。この時貯金箱外箱（２）内部には２段階の長さの溝を持つスリット（Ｓ１）に、硬貨貯留部１（Ｈ１）に施されたタブ（Ｔ１）が固定され、硬貨貯留部１（Ｈ１）と硬貨貯留部２（Ｈ２）は効果を貯留するスペースとなっている。貯金箱外箱（２）に施されたスリット（Ｓ２）はキャッシュカードを模したカード（Ｃ）差し込み口として、（Ｓ３）１円から５００円までの日本国通貨の投入口として機能する。このとき貯金箱外箱（２）に施されたスリット（Ｓ２）にカード（Ｃ）を差し込むことでカード差し込み式貯金箱（１）内部に備わる硬貨貯留部１（Ｈ１）と硬貨貯留部２（Ｈ２）を組み合わせたものの底部にある２段階の長さの溝を持つスリット（Ｓ１）に、固定されていたタブ（Ｔ１）が押し込まれ、タブ（Ｔ１）よりも長い溝の場所に位置するようになるため、ロックが解除される。
【０００８】  図４は本考案のカード差し込み式貯金箱（１）の貯金箱外箱（２）に施されたスリット（Ｓ２）にカード（Ｃ）を差し込むことで硬貨貯留部１（Ｈ１）の底部（Ｂ１）が解放された状態の視図である。この時貯金箱外箱（２）の底部（Ｂ２）に施された孔（Ｋ）から指（Ｆ）を差し込み、硬貨貯留部１（Ｈ１）の底部（Ｂ１）を押し上げることで再びロックが掛かる。
【図面の簡単な説明】
【０００９】
【図１】本考案のカード差し込み式貯金箱の視図
【図２】図１の硬貨貯留部の斜図
【図３】図１の組み立て図
【図４】図１のロック部分の視図
【符号の説明】
【００１０】１    カード差し込み式貯金箱
Ｈ１  硬貨貯留部１
Ｈ２  硬貨貯留部２
Ｂ１  底部１
Ｂ２  底部２
Ｃ    カード部
ａ１  差し込み１
ａ２  差し込み２
ａ３  差し込み３
ａ４  差し込み４
ａ５  差し込み５
ａ６  差し込み６
ａ７  差し込み７
ａ８  差し込み８
ａ９  差し込み９
ａ１０  差し込み１０
ａ１１  差し込み１１
ｂ１  差し込み１
ｂ２  差し込み２
ｂ３  差し込み３
ｂ４  差し込み４
ｂ５  差し込み５
ｂ６  差し込み６
ｂ７  差し込み７
ｂ８  差し込み８
ｂ９  差し込み９
ｂ１０  差し込み１０
ｂ１１  差し込み１１
Ｓ１  スリット１
Ｓ２  スリット２
Ｓ３  スリット３
Ｔ１  タブ
Ｋ    孔
Ｆ    指
【図１】
0003207017.tif 000003
【図２】
0003207017.tif 000004
【図３】
0003207017.tif 000005
【図４】
0003207017.tif 000006
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
薄地のフィルムシート材料において、フック構造を備えた差し込み、あるいは前記差し込みと対になる切込みを有し、前記差し込み前記切り込みを噛み合わせて接合される複数の部品が打ち抜かれていることを特徴とするカード差し込み式貯金箱。
【請求項２】
当該物品前部に施されたスリットに銀行のキャッシュカードを模した部品を差し込むことで、内部の硬貨貯留のロックが外れ物品下部より硬貨が排出されることを特徴とする請求項１記載のカード差し込み式貯金箱。
【請求項３】
硬貨貯留部分は開閉可能な底部の中央に２段階の溝の幅を持つスリットを備えそこにフック構造を持ったタブを係止させることで底部は固定され、前記の当該物品前面に施されたスリットにカードを模した部品を差し込むことで固定が解除されることを特徴とする請求項２記載のカード差し込み式貯金箱。
【請求項４】
前記フィルムシート材料には、オフセット印刷により絵、文字及び写真が印刷されていることを特徴とする請求項１に記載のカード差し込み式貯金箱。